(57)【要約】【課題】コネクタの全体寸法を増大させることなく、より多くのコンタクトを有するコネクタを提供する。【解決手段】コネクタは、絶縁本体（１００）と、絶縁本体（１００）に保持された複数のコンタクト（１０１〜１０９，１１１〜１１４）とを具備する。複数のコンタクト（１０１〜１０９，１１１〜１１４）は、第１長さを有する第１コンタクトのグループ（１０５〜１０９）と、第１長さより短い第２長さを有する第２コンタクトのグループ（１１１〜１１４）とを具備する。第２コンタクトのグループ（１１１〜１１４）の各第２コンタクトは、第１コンタクトのグループ（１０５〜１０９）の隣接する２個の第１コンタクト間に所定の間隙を置いて配列される。【選択図】図４
2014183048.tif 000002
【特許請求の範囲】
【請求項１】
絶縁本体と、
絶縁本体に保持された複数のコンタクトと
を具備するコネクタであって、
前記複数のコンタクトは、第１長さを有する第１コンタクトのグループと、第１長さより短い第２長さを有する第２コンタクトのグループとを具備し、
前記第２コンタクトのグループの各第２コンタクトは、前記第１コンタクトのグループの隣接する２個の第１コンタクト間に所定の間隙を置いて配列されることを特徴とするコネクタ。
【請求項２】
前記複数のコンタクトは、第３長さを有する第３コンタクトのグループをさらに具備し、
前記第３コンタクトのグループの第３コンタクトは、前記第１コンタクトのグループの両側に配置されることを特徴とする請求項１記載のコネクタ。
【請求項３】
前記第３長さは、前記第１長さより短く、且つ前記第２長さ以上の長さであることを特徴とする請求項２記載のコネクタ。
【請求項４】
前記第１コンタクトの各々は、第１接触部と、第１脚部と、前記第１接触部及び前記第１脚部間の第１接続部とを具備し、
前記第２コンタクトの各々は、第２接触部と、第２脚部と、前記第２接触部及び前記第２脚部間の第２接続部とを具備することを特徴とする請求項１又は２記載のコネクタ。
【請求項５】
前記各第２コンタクトの前記第２接触部は、隣接する２個の前記第１コンタクトの第１接続部の上及びそれらの間に配置されることを特徴とする請求項４記載のコネクタ。
【請求項６】
前記各第２コンタクトの前記第２接触部は、隣接する２個の前記第１コンタクト間の間隙の幅とほぼ等しい幅を有することを特徴とする請求項５記載のコネクタ。
【請求項７】
前記各第１コンタクトの前記第１接触部及び前記各第２コンタクトの前記第２接触部は、前記コネクタの高さ方向に直交する平面内に配置されることを特徴とする請求項６記載のコネクタ。
【請求項８】
前記各第３コンタクトは、第３接触部と、第３脚部と、前記第３接触部及び前記第３脚部間の第３接続部とを具備することを特徴とする請求項７記載のコネクタ。
【請求項９】
前記各第１コンタクトの前記第１接続部及び前記各第３コンタクトの前記第３接触部は、前記コネクタの高さ方向に直交する平面内に配置されることを特徴とする請求項８記載のコネクタ。
【請求項１０】
前記第１脚部、前記第２脚部及び前記第３脚部は、１列に配置されると共に前記コネクタの高さ方向に直交する平面内に配置されることを特徴とする請求項９記載のコネクタ。
【請求項１１】
前記第１コンタクトのグループ、前記第２コンタクトのグループ及び前記第３コンタクトのグループは、それぞれ異なる機能を果たすよう構成されることを特徴とする請求項１０記載のコネクタ。
【請求項１２】
前記第１コンタクトのグループはマイクロＵＳＢ信号を伝送するよう構成され、
前記第３コンタクトのグループはＵＳＢ３．０信号を伝送するよう構成され、
前記第２コンタクトのグループは信号検知コンタクト又は信号試験コンタクトとして構成されることを特徴とする請求項１１記載のコネクタ。
【発明の詳細な説明】
【技術分野】
【０００１】
本考案は、コネクタに関し、特にマイクロＵＳＢ（ユニバーサル・シリアル・バス）通信及びＵＳＢ３．０通信と互換性のあるハイブリッド型ＵＳＢコネクタに関する。
【背景技術】
【０００２】
従来技術において、マイクロＵＳＢ（例えばマイクロＵＳＢ２．０）通信及びＵＳＢ３．０通信と互換性のあるハイブリッド型ＵＳＢコネクタは、マイクロＵＳＢ信号を伝送するための第１コンタクトのグループと、ＵＳＢ３．０信号を伝送するための第２コンタクトのグループとを具備する。
【０００３】
図１は、従来技術のハイブリッド型ＵＳＢコネクタを示す斜視図である。図１に示されるように、コネクタは、絶縁本体１０と、絶縁本体１０に保持された複数のコンタクト１，２，３，４，５，６，７，８，９とを具備する。図示されていないが、コネクタは、絶縁本体１０を取り囲む金属シールドをさらに具備する。
【０００４】
図２は、図１の複数のコンタクトの空間的配置を示す斜視図である。図２に示されるように、複数のコンタクトは、マイクロＵＳＢ信号を伝送するための第１コンタクトのグループ３，４，５，６，７と、ＵＳＢ３．０信号を伝送するための第２コンタクトのグループ１，２，８，９とを具備する。
【０００５】
図２を参照すると、第１コンタクトのグループ３，４，５，６，７は１列に配列される。第２コンタクトのグループ１，２，８，９は、第１対の差動信号コンタクト１，２と、第１コンタクトのグループの両側に配置された第２対の佐渡鵜信号コンタクト８，９とを具備する。
【０００６】
図１及び図２に示されるように、第１コンタクトのグループ３，４，５，６，７の各第１コンタクトは、第２コンタクトのグループ１，２，８，９の各第２コンタクトよりも長い。
【発明の概要】
【発明が解決しようとする課題】
【０００７】
従来技術において、コネクタの全体寸法が制限されているので、付加機能コンタクト（例えば、信号検知コンタクト又は信号試験コンタクト）を設けることなく、ＵＳＢ信号を伝送するためのコンタクトのみが従来技術のコネクタに設けられ、従来技術のコネクタの用途は不便で限定されている。
【課題を解決するための手段】
【０００８】
本発明は、上述の不利益の少なくとも一側面を克服又は軽減するためになされたものである。従って、コネクタの全体寸法を増大させることなく、以前よりも多くのコンタクトを有するコネクタを提供すると有利である。
【０００９】
本発明の一側面によれば、以下のコネクタが提供される。すなわち、このコネクタは、絶縁本体と、絶縁本体に保持された複数のコンタクトとを具備し、複数のコンタクトは、第１長さを有する第１コンタクトのグループと、第１長さより短い第２長さを有する第２コンタクトのグループとを具備し、第２コンタクトのグループの各第２コンタクトは、第１コンタクトのグループの隣接する２個の第１コンタクト間に所定の間隙を置いて配列される。
【００１０】
本発明の典型的な一実施形態において、複数のコンタクトは、第３長さを有する第３コンタクトのグループをさらに具備し、第３コンタクトのグループの第３コンタクトは、第１コンタクトのグループの両側に配置される。
【００１１】
本発明の典型的な別の実施形態において、第３長さは、第１長さより短く、且つ第２長さ以上の長さである。
【００１２】
本発明の典型的な別の実施形態において、各第１コンタクトは、第１接触部と、第１脚部と、第１接触部及び第１脚部間の第１接続部とを具備し、各第２コンタクトは、第２接触部と、第２脚部と、第２接触部及び第２脚部間の第２接続部とを具備する。
【００１３】
本発明の典型的な別の実施形態において、各第２コンタクトの第２接触部は、隣接する２個の第１コンタクトの第１接続部の上及びそれらの間に配置される。
【００１４】
本発明の典型的な別の実施形態において、各第２コンタクトの第２接触部は、隣接する２個の第１コンタクト間の間隙の幅とほぼ等しい幅を有する。
【００１５】
本発明の典型的な別の実施形態において、各第１コンタクトの第１接触部及び各第２コンタクトの第２接触部は、同じ高さの平面内に配置される。
【００１６】
本発明の典型的な別の実施形態において、各第３コンタクトは、第３接触部と、第３脚部と、第３接触部及び第３脚部間の第３接続部とを具備する。
【００１７】
本発明の典型的な別の実施形態において、各第１コンタクトの第１接続部及び各第３コンタクトの第３接触部は、同じ高さの平面内に配置される。
【００１８】
本発明の典型的な別の実施形態において、第１脚部、第２脚部及び第３脚部は、１列に整列配置されると共に同じ高さの平面内に配置される。
【００１９】
本発明の典型的な別の実施形態において、第１コンタクトのグループ、第２コンタクトのグループ及び第３コンタクトのグループは、それぞれ異なる機能を果たすよう構成される。
【００２０】
本発明の典型的な別の実施形態において、第１コンタクトのグループはマイクロＵＳＢ信号を伝送するよう構成され、第３コンタクトのグループはＵＳＢ３．０信号を伝送するよう構成される。
【００２１】
本発明の上述した様々な実施形態において、第２コンタクトのグループの各第２コンタクトは第１コンタクトのグループの隣接する２個の第１コンタクト間に間隙を置いて配列されるので、コネクタの寸法を増大させることなく、コネクタのコンタクトの合計数を増加させることができる。すなわち、ＵＳＢ信号を伝送するためのコンタクトに加え、例えば信号検知コンタクト又は信号試験コンタクト等の付加機能コンタクトを、コネクタの寸法を増大させることなく、コネクタに設けることができる。従って、コネクタの用途を広げることができ、以前よりも多くの選択的機能をユーザに提供する。
【００２２】
本発明の上述した側面や他の側面は、添付図面を参照して典型的な実施形態の以下の詳細な説明からより明白になるであろう。
【図面の簡単な説明】
【００２３】
【図１】従来技術のハイブリッド型ＵＳＢコネクタを示す斜視図である。
【図２】図１の複数のコンタクトの空間的配置を示す斜視図である。
【図３】本発明の典型的な一実施形態に係るコネクタを示す斜視図である。
【図４】図３のコネクタの複数のコンタクトの空間的配置を示す斜視図である。
【図５】図４の複数のコンタクトの平面図である。
【発明を実施するための形態】
【００２４】
以下、添付図面を参照して、本発明に係る典型的な実施形態を詳細に説明する。ここで、同様の要素には同様の参照番号が付与される。しかし、本発明は、多くの異なる形態で実施することができ、以下に説明する実施形態に限定するものとして解釈してはならない。むしろ、本発明が徹底的且つ完全であり、本開示のコンセプトを当業者に十分に伝えるようにこれらの実施形態が提供される。
【００２５】
本発明の概念によれば、以下を具備するコネクタが提供される。すなわち、コネクタは、絶縁本体１００と、絶縁本体１００に保持された複数のコンタクト１０１〜１０９，１１１〜１１４とを具備する。複数のコンタクトは、第１長さを有する第１コンタクトのグループ１０５〜１０９と、第１長さより短い第２長さを有する第２コンタクトのグループ１１１〜１１４とを具備する。第２コンタクトのグループ１１１〜１１４の各第２コンタクトは、第１コンタクトのグループ１０５〜１０９の隣接する２個の第１コンタクト間に間隙を置いて配列される。
【００２６】
図３は、本発明の典型的な一実施形態に係るコネクタを示す斜視図である。図４は、図３のコネクタの複数のコンタクト１０１〜１０９，１１１〜１１４の空間的配置を示す斜視図である。図５は、図４の複数のコンタクト１０１〜１０９，１１１〜１１４の平面図である。
【００２７】
図３ないし図５に示されるように、コネクタは主に、絶縁本体１００と、絶縁本体１００に保持された複数のコンタクト１０１〜１０９，１１１〜１１４と、絶縁ハウジング１００を取り囲む金属シールド（図示せず）とを具備する。
【００２８】
典型的な一実施形態において、複数のコンタクト１０１〜１０９，１１１〜１１４は、オーバモールドにより絶縁本体１００内に同時に固定されてもよい。
【００２９】
図３ないし図５に示されるように、複数のコンタクト１０１〜１０９，１１１〜１１４は、コネクタの縦方向Ｙに延びる第１長さを有する第１コンタクトのグループ１０５，１０９を具備する。
【００３０】
図３ないし図５を再度参照すると、複数のコンタクト１０１〜１０９，１１１〜１１４は、コネクタの縦方向Ｙに延びる第２長さを有する第２コンタクトのグループ１１１〜１１４をさらに具備する。
【００３１】
図３ないし図５を参照すると、各第２コンタクト１１１〜１１４の第２長さは、各第１コンタクト１０５〜１０９の第１長さより短い。第２コンタクトのグループ１１１〜１１４の各第２コンタクトは、第１コンタクトのグループ１０５〜１０９の隣接する２個の第１コンタクト間に間隙を置いて配列される。図４及び図５に明瞭に示されるように、第２コンタクト１１１は、隣接する２個の第１コンタクト１０５，１０６間に間隔を置いて配置される。第２コンタクト１１２は、隣接する２個の第１コンタクト１０６，１０７間に間隔を置いて配置される。第２コンタクト１１３は、隣接する２個の第１コンタクト１０７，１０８間に間隔を置いて配置される。第２コンタクト１１４は、隣接する２個の第１コンタクト１０８，１０９間に間隔を置いて配置される。このようにして、最も長い第１コンタクト１０５〜１０９の間の間隙を適切に用いることにより、コネクタの寸法を増大させることなく、信号を伝送するためのコンタクト１０１〜１０９に加えて、追加機能コンタクト（例えば第２コンタクト１１１〜１１４）を設けることができる。従って、コネクタの用途を広げることができ、以前よりも多くの選択的機能をユーザに提供する。これは、ユーザにとって非常に便利である。
【００３２】
図３ないし図５に示されるように、複数のコンタクト１０１〜１０９，１１１〜１１４は、コネクタの縦方向Ｙに延びる第３長さを有する第３コンタクトのグループ１０１〜１０４をさらに具備する。
【００３３】
図３ないし図５を参照すると、第３コンタクト１０１〜１０４は、第１コンタクトのグループ１０５，１０９の両側に配置される。図示の実施形態において、第３コンタクト１０１〜１０４の第３長さは、第１コンタクト１０５〜１０９の第１長さより短く、第２コンタクトの第２長さ１１１〜１１４以上の長さである。
【００３４】
図３ないし図５に示されるように、各第１コンタクト１０５〜１０９は、第１接触部と、第１脚部と、第１接触部及び第１脚部間の第１接続部とを具備する。例えば、第１コンタクト１０９は、第１接触部１０９ａと、第１脚部１０９ｃと、第１接触部１０９ａ及び第１脚部１０９ｃ間の第１接続部１０９ｂとを具備する。
【００３５】
図３ないし図５に示されるように、各第２コンタクト１１１〜１１４は、第２接触部と、第２脚部と、第２接触部及び第２脚部間の第２接続部とを具備する。例えば、第２コンタクト１１４は、第２接触部１１４ａと、第２脚部１１４ｃと、第２接触部１１４ａ及び第２脚部１１４ｃ間の第２接続部とを具備する。
【００３６】
図３ないし図５に示されるように、各第２コンタクト１１１〜１１４の第２接触部は、第１コンタクト１０５〜１０９のうち隣接する２個の第１コンタクトの第１接続部の上及びそれらの間に配置される。例えば、第２コンタクト１１４の第２接触部１１４ａは、隣接する２個の第１コンタクト１０８，１０９の第１接続部の上及びそれらの間に配置される。すなわち、第２接触部１１４ａは、コネクタの幅方向Ｘに隣接する２個の第１コンタクト１０８，１０９の第１接続部間に配置されると共に、コネクタの高さ方向Ｚに隣接する２個の第１コンタクト１０８，１０９の第１接続部の上に配置される。
【００３７】
図５に示されるように、各第２コンタクト１１１〜１１４の第２接触部は、第１コンタクト１０５〜１０９のうち隣接する２個の第１コンタクト間の間隙の幅とほぼ等しいか狭い幅を有する。例えば、第２コンタクト１１４の第２接触部１１４ａは、隣接する２個の第１コンタクト１０８，１０９間の間隙の幅とほぼ等しいか狭い幅を有する。その結果、第２コンタクトの第２接触部の幅は、幅方向に最大化することができる。
【００３８】
図３及び図４に示されるように、各第１コンタクト１０５〜１０９の第１接触部及び各第２コンタクト１１１〜１１４の第２接触部は、コネクタの高さ方向に直交する平面内に配置される。例えば、第１コンタクト１０９の第１接触部１０９ａ及び第２コンタクト１１４の第２接触部１１４ａは、コネクタの高さ方向に直交する平面内に配置される。
【００３９】
図３及び図４に示されるように、各第３コンタクト１０１〜１０４は、第３接触部と、第３脚部と、第３接触部及び第３脚部間の第３接続部とを具備する。例えば、第３コンタクト１０４は、第３接触部１０４ａと、第３脚部１０４ｃと、第３接触部１０４ａ及び第３脚部１０４ｃ間の第３接続部とを具備する。
【００４０】
図３及び図４を参照すると、各第１コンタクト１０５〜１０９の第１接続部及び各第３コンタクト１０１〜１０４の第３接触部は、コネクタの高さ方向に直交する平面内に配置される。例えば、第１コンタクト１０９の第１接続部１０９ｂ及び第３コンタクト１０４の第３接触部１０４ａは、コネクタの高さ方向に直交する平面内に配置される。
【００４１】
図３及び図４に示されるように、第１脚部、第２脚部及び第３脚部は、１列に整列配置されると共にコネクタの高さ方向に直交する平面内に配置される。例えば、第１脚部１０９ｃ、第２脚部１１４ｃ及び第３脚部１０４ｃは、１列に整列配置されると共にコネクタの高さ方向に直交する平面内に配置される。この構成により、第１コンタクト、第２コンタクト及び第３コンタクトは、整列して回路基板（図示せず）上に同じ高さで半田付けすることができる。
【００４２】
図３及び図４に示されるように、第１コンタクトのグループ１０５〜１０９、第２コンタクトのグループ１１１〜１１４及び第３コンタクトのグループ１０１〜１０４は、それぞれ異なる機能を果たすよう構成される。例えば、第１コンタクトのグループ１０５〜１０９はマイクロＵＳＢ信号を伝送するよう構成され、第３コンタクトのグループ１０１〜１０４はＵＳＢ３．０信号を伝送するよう構成され、第２コンタクトのグループ１１１〜１１４は信号検知コンタクト又は信号試験コンタクトとして構成される。
【００４３】
当業者であれば、上述した実施形態は例示目的であり、限定目的ではないことを理解されたい。例えば、当業者は上述の実施形態に多くの変更を加えてもよいし、異なる実施形態に記載された様々な徳塗油は、構成又は原理において衝突することなく互いに自由に組み合わせてもよい。このため、本発明の技術的問題を克服するより多くの種類のコネクタを達成することができる。
【００４４】
いくつかの典型的な実施形態を図示し上述したが、当業者であれば、本発明の原理及び真髄から逸脱することなく、実施形態に変更を加えること、及び本発明の範囲は特許請求の範囲及びその等価物で定義されることが理解されよう。
【００４５】
本明細書で使用されているように、「１個の」又は「一つの」要素は、特に明記されていない限り、複数の要素を排除するものではないと理解されたい。さらに、本発明の「一実施形態」は、謳われた特徴を組み込む追加の実施形態の存在を排除するものと解釈することを意図していない。よ。また、逆の事項が明記されていない限り、特定の特性を有する要素を「具備する」又は「有する」実施形態には、その特性を有していない追加の要素を含んでもよい。
【符号の説明】
【００４６】
１００          絶縁本体
１０１〜１０４  第３コンタクト
１０４ａ        第３接触部
１０４ｃ        第３脚部
１０５〜１０９  第１コンタクト
１０９ａ        第１接触部
１０９ｂ        第１接続部
１０９ｃ        第１脚部
１１１〜１１４  第２コンタクト
１１４ａ        第２接触部
１１４ｃ        第２脚部
【図１】
2014183048.tif 000003
【図２】
2014183048.tif 000004
【図３】
2014183048.tif 000005
【図４】
2014183048.tif 000006
【図５】
2014183048.tif 000007